(57)【特許請求の範囲】
【請求項１】
湯沸かし用の内容器と、該内容器を加熱する加熱手段と、前記内容器内の湯を給湯通路を介して給湯する電動ポンプと、給湯量を表示する表示部とを備え、前記給湯通路における直管部には、給湯流量を測定する流量測定手段を設けてなる電気貯湯容器であって、前記電動ポンプの駆動開始時から前記流量測定手段からの最初の信号出力があった後であって、該最初の信号出力があった時点から前記流量測定手段の下流側の通路の容量に相当するポンプ吐出量が得られる時間が経過するまでの間には、前記表示部における給湯量表示を「給湯量なし」を表す表示とするように構成したことを特徴とする電気貯湯容器。
【請求項２】
湯沸かし用の内容器と、該内容器を加熱する加熱手段と、前記内容器内の湯を給湯通路を介して給湯する電動ポンプと、給湯量を表示する表示部とを備え、前記給湯通路には、給湯流量を測定する流量測定手段を設けてなる電気貯湯容器であって、前記電動ポンプの駆動開始時から前記流量測定手段からの最初の信号出力があった後であって、該最初の信号出力があった時点から予め設定された第１の設定時間が経過するまでの間には、前記表示部における給湯量表示を「給湯量なし」を表す表示とするように構成するとともに、前記第１の設定時間の経過後であって、予め設定された第２の設定時間が経過するまでの間には、実際の給湯流量に関係なく予め設定された単位時間当たりの設定流量に基づいて算出された給湯量を前記表示部に表示するように構成したことを特徴とする電気貯湯容器。
【請求項３】
前記第１の設定時間を、前記流量測定手段の下流側の通路の容量に相当するポンプ吐出量が得られる時間としたことを特徴とする前記請求項２記載の電気貯湯容器。
【請求項４】
前記第２の設定時間の経過後においては、前記流量測定手段により測定された流量に基づいて前記表示部に給湯量表示を行うように構成したことを特徴とする前記請求項２および３のいずれか一項記載の電気貯湯容器。
【請求項５】
湯沸かし用の内容器と、該内容器を加熱する加熱手段と、前記内容器内の湯を給湯通路を介して給湯する電動ポンプと、給湯量を表示する表示部とを備え、前記給湯通路には、給湯流量を測定する流量測定手段を設けてなる電気貯湯容器であって、前記電動ポンプの駆動開始時から前記流量測定手段からの最初の信号出力があった後であって、該最初の信号出力があった時点から予め設定された第１の設定時間が経過するまでの間には、前記表示部における給湯量表示を「給湯量なし」を表す表示とするように構成する一方、前記電動ポンプによる給湯量を所定量に設定する定量給湯設定手段と、該定量給湯設定手段により設定された設定給湯量だけ給湯を行うように前記電動ポンプの駆動制御を行う定量給湯制御手段とを付設するとともに、該定量給湯設定手段による設定給湯量の下限値を設けるように構成し且つ該設定給湯量の下限値を、前記流量測定手段からの信号出力とは関係なく決められた値以上とするように構成したことを特徴とする電気貯湯容器。
【請求項６】
前記第１の設定時間を、前記流量測定手段の下流側の通路の容量に相当するポンプ吐出量が得られる時間としたことを特徴とする前記請求項５記載の電気貯湯容器。
【発明の詳細な説明】
【０００２】
【発明の属する技術分野】
【０００３】
本願発明は、電気ポット等として使用される電気貯湯容器に関し、さらに詳しくは給湯通路に給湯流量を測定する流量測定手段を付設して、該流量測定手段により測定された流量を給湯量として表示部に表示するようにした電気貯湯容器に関するものである。
【従来の技術】
【０００４】
湯沸かし用の内容器と、該内容器を加熱する加熱手段と、前記内容器内の湯を給湯通路を介して給湯する電動ポンプとを備えた電気貯湯容器は、従来から良く知られており、このような構造の電気貯湯容器において、給湯通路に給湯流量を測定する流量センサーを設けることにより、給湯流量を液晶表示装置に表示したり、予め設定された給湯量を前記流量センサーにより測定して定量給湯を行うようにしたものも従来から良く知られている。
【０００５】
また、電気貯湯容器に重量センサーを付設して、該重量センサーによって内容器内の貯湯量の減少量を給湯量として測定し、該給湯量を表示部に表示するようにしたものも提案されている。
【発明が解決しようとする課題】
【０００６】
ところが、流量センサーによって給湯量を測定するタイプのものでは、給湯通路の途中に設けられている流量センサーにお湯が到達するまでの時間が内容量によって違ってくるという事実がある。例えば、図８に示すように、内容器内のお湯の量が多い場合の水位Ｌ1と流量センサー２５との間の距離をＤ1とし、お湯が少ない場合の水位Ｌ2と流量センサー２５との距離をＤ2とした場合、Ｄ1＜＜Ｄ2となるため、電動ポンプの駆動開始後において、流量センサー２５にお湯が到達するまでの時間に差が生じることとなるのである。
【０００７】
また、流量センサー２５にお湯が到達した後であっても、該流量センサー２５の下流側の通路５′にお湯が満たされるまでの間は、給湯通路５の注出口からのお湯の注出は行われない。
【０００８】
さらに、給湯通路５を介しての給湯が定常的になるまでの間は、流量センサー２５からの信号出力が不安定となる。
【０００９】
上記した各要因を考慮しなければ、流量センサー２５により測定された流量を給湯量として正確に表示することができないという不具合があった。
【００１０】
なお、重量センサーを用いて給湯量表示を行うものの場合、重量センサーの測定精度を高くしなければ、少量給湯時の給湯量を正確に測定することが難しいという不具合がある。
【００１１】
本願発明は、上記の点に鑑みてなされたもので、給湯初期における給湯量表示を正確に行い得るようにすることを目的とするものである。
【課題を解決するための手段】
【００１２】
請求項１の発明では、上記課題を解決するための手段として、湯沸かし用の内容器と、該内容器を加熱する加熱手段と、前記内容器内の湯を給湯通路を介して給湯する電動ポンプと、給湯量を表示する表示部とを備え、前記給湯通路における直管部には、給湯流量を測定する流量測定手段を設けてなる電気貯湯容器において、前記電動ポンプの駆動開始時から前記流量測定手段からの最初の信号出力があった後であって、該最初の信号出力があった時点から前記流量測定手段の下流側の通路の容量に相当するポンプ吐出量が得られる時間が経過するまでの間には、前記表示部における給湯量表示を「給湯量なし」を表す表示とするように構成している。
【００１３】
上記のように構成したことにより、給湯初期においては（即ち、電動ポンプの駆動開始時には）流量測定手段からの最初の信号出力があるまでの時間にお湯の量によって違いが生ずるが、この間の給湯量表示を「給湯量なし」を表す表示とすることにより、この差異を無効とすることができる。また、流量測定手段からの最初の信号出力があった時点から前記流量測定手段の下流側の通路の容量に相当するポンプ吐出量が得られる時間が経過するまでの間には、前記表示部における給湯量表示を「給湯量なし」を表す表示とするようにしたことにより、給湯通路を介して実際にお湯が注出されることのない間は給湯量表示が「給湯量なし」を表す表示とされることとなり、給湯初期における給湯量の誤差に影響されない給湯量表示が行える。
【００１４】
請求項２の発明では、上記課題を解決するための手段として、湯沸かし用の内容器と、該内容器を加熱する加熱手段と、前記内容器内の湯を給湯通路を介して給湯する電動ポンプと、給湯量を表示する表示部とを備え、前記給湯通路には、給湯流量を測定する流量測定手段を設けてなる電気貯湯容器において、前記電動ポンプの駆動開始時から前記流量測定手段からの最初の信号出力があった後であって、該最初の信号出力があった時点から予め設定された第１の設定時間が経過するまでの間には、前記表示部における給湯量表示を「給湯量なし」を表す表示とするように構成するとともに、前記第１の設定時間の経過後であって、予め設定された第２の設定時間が経過するまでの間には、実際の給湯流量に関係なく予め設定された単位時間当たりの設定流量に基づいて算出された給湯量を前記表示部に表示するように構成している。
【００１５】
上記のように構成したことにより、給湯初期においては（即ち、電動ポンプの駆動開始時には）流量測定手段からの最初の信号出力があるまでの時間にお湯の量によって違いが生ずるが、この間の給湯量表示を「給湯量なし」を表す表示とすることにより、この差異を無効とすることができる。また、流量測定手段からの最初の信号出力があった時点から予め設定された第１の設定時間が経過するまでの間には、前記表示部における給湯量表示を「給湯量なし」を表す表示とするようにしたことにより、給湯通路を介して実際にお湯が注出されることのない間は給湯量表示が「給湯量なし」を表す表示とされることとなり、給湯初期における給湯量の誤差に影響されない給湯量表示が行える。さらに、第１の設定時間が経過して実際に給湯が開始された後であっても、流量測定手段からの出力信号が安定しない期間があるが、その期間においては、実際の給湯流量に関係なく予め設定された単位時間当たりの設定流量に基づいて算出された給湯量が表示されることとなり、流量測定手段からの出力信号が安定しないことに影響されない給湯量表示が行える。
【００１６】
請求項３の発明におけるように、請求項２記載の電気貯湯容器において、前記第１の設定時間を、前記流量測定手段の下流側の通路の容量に相当するポンプ吐出量が得られる時間とした場合、第１の設定時間が経過した時点では流量測定手段の下流側の通路にお湯が満ちて、給湯通路を介してお湯の注出が開始されることとなり、実際の給湯開始時期を決定することができる。
【００１７】
請求項４の発明におけるように、請求項２および３のいずれか一項記載の電気貯湯容器において、前記第２の設定時間の経過後においては、前記流量測定手段により測定された流量に基づいて前記表示部に給湯量表示を行うように構成した場合、流量測定手段の出力信号が安定する第２の設定時間の経過後においては流量測定手段により測定された流量に基づいて給湯量表示が行われることとなり、正確な給湯量表示が得られる。
【００１８】
請求項５の発明では、上記課題を解決するための手段として、湯沸かし用の内容器と、該内容器を加熱する加熱手段と、前記内容器内の湯を給湯通路を介して給湯する電動ポンプと、給湯量を表示する表示部とを備え、前記給湯通路には、給湯流量を測定する流量測定手段を設けてなる電気貯湯容器において、前記電動ポンプの駆動開始時から前記流量測定手段からの最初の信号出力があった後であって、該最初の信号出力があった時点から予め設定された第１の設定時間が経過するまでの間には、前記表示部における給湯量表示を「給湯量なし」を表す表示とするように構成する一方、前記電動ポンプによる給湯量を所定量に設定する定量給湯設定手段と、該定量給湯設定手段により設定された設定給湯量だけ給湯を行うように前記電動ポンプの駆動制御を行う定量給湯制御手段とを付設するとともに、該定量給湯設定手段による設定給湯量の下限値を設けるように構成し且つ該設定給湯量の下限値を、前記流量測定手段からの信号出力とは関係なく決められた値以上とするように構成している。
【００１９】
上記のように構成したことにより、給湯初期においては（即ち、電動ポンプの駆動開始時には）流量測定手段からの最初の信号出力があるまでの時間にお湯の量によって違いが生ずるが、この間の給湯量表示を「給湯量なし」を表す表示とすることにより、この差異を無効とすることができる。また、流量測定手段からの最初の信号出力があった時点から予め設定された第１の設定時間が経過するまでの間には、前記表示部における給湯量表示を「給湯量なし」を表す表示とするようにしたことにより、給湯通路を介して実際にお湯が注出されることのない間は給湯量表示が「給湯量なし」を表す表示とされることとなり、給湯初期における給湯量の誤差に影響されない給湯量表示が行える。また、定量給湯を行う際における設定給湯量に下限値を設けたことにより、定量給湯を安定した給湯量が得られる領域で行うことができるし、誤差の大きい給湯量である流量測定手段からの信号出力とは関係なく決められた値より大きい値を、設定給湯量の下限値とすることができ、誤差に影響されない定量給湯が得られる。
【００２０】
請求項６の発明におけるように、請求項５記載の電気貯湯容器において、前記第１の設定時間を、前記流量測定手段の下流側の通路の容量に相当するポンプ吐出量が得られる時間とした場合、第１の設定時間が経過した時点では流量測定手段の下流側の通路にお湯が満ちて、給湯通路を介してお湯の注出が開始されることとなり、実際の給湯開始時期を決定することができる。
【発明の実施の形態】
【００２１】
以下、添付の図面を参照して、本願発明の好適な実施の形態について詳述する。
【００２２】
この電気貯湯容器は、図１および図２に示すように、貯湯用の内容器３を備えた容器本体１と、該容器本体１を開閉する蓋体２と、前記内容器３を加熱する加熱手段である電気ヒータ４と、前記内容器３内の湯を外部へ給湯するための給湯通路５と、該給湯通路５を介して湯を送り出す電動ポンプ６とを備えて構成されている。
【００２３】
前記容器本体１は、外側面を構成する合成樹脂製の外ケース７と、内周面を構成する前記内容器３と、前記外ケース７と内容器３とを結合する合成樹脂製の環状の肩部材８と、底面を構成する合成樹脂製の底板９とからなっている。
【００２４】
前記内容器３は、ステンレス製の有底円筒形状の内筒１０とステンレス製の外筒１１との間に真空空間を有する真空二重構造体からなっており、その底部には、外周部を除いて前記内筒１０の底部のみにより構成された１枚板部３ａが形成されている。該１枚板部３ａの下面には、前記電気ヒータ４（例えば、雲母板に発熱体を保持させてなるマイカヒータ）が取り付けられている。前記内容器３の上端部には、前記内筒１０の上端部を絞り加工してなる小径の給水口３ｂが形成されている。符号１２は内容器３の温度（換言すれば、湯温）を検出する湯温検出手段として作用する温度センサー、１３は内容器３の満水位を表示する満水位表示部である。
【００２５】
前記蓋体２は、合成樹脂製の上板１４と該上板１４に対して外周縁が結合された合成樹脂製の下板１５とからなっており、前記肩部材８の後部に設けられたヒンジ受け１６に対してヒンジピン１７を介して開閉自在且つ着脱自在に支持されている。
【００２６】
また、この蓋体２には、電源が接続されていない状態でも給湯通路５を介しての給湯が可能なように、手動操作により駆動されるエアーポンプ１８が配設されている。該エアーポンプ１８は、前記蓋体２の略中央部に形成された円筒形状の凹部１９内に配設されたベローズタイプのものとされており、押圧板２０を介しての押圧操作により加圧空気が内容器３内に吹き込まれ、該加圧空気の圧力により内容器３内のお湯が給湯通路５を介して外部へ押し出されることとなっている。符号２１は蒸気排出通路、２２は蒸気排出通路２１の途中に配設された転倒止水弁である。
【００２７】
前記蓋体２における下板１５には、金属製のカバー部材２３が固定されており、該カバー部材２３の外周縁には、蓋体２の閉蓋時において前記内容器３の給水口３ｂに圧接されるシールパッキン２４が設けられている。
【００２８】
前記給湯通路５の途中である前記内容器３の下方位置には、前記電動ポンプ６が配設されており、この給湯通路５において内容器３における満水位表示部１３より下方となる直管部５ａには、該給湯通路５を通るお湯の流量を測定するための流量測定手段として作用する流量センサー２５が設けられている。
【００２９】
該流量センサー２５は、図３および図４に示すように、前記給湯通路５の途中の直管部５ａに設けられた透明なガラス管２６と、該ガラス管２６内において回転自在に枢支された回転体２７と、該回転体２７の回転数を検出する光センサー２８とからなっている。
【００３０】
前記回転体２７は、前記給湯通路直管部５ａ内において前記ガラス管２６を挟むようにして上下設けられた軸受２９，２９に対して軸支された回転軸３０にボス２７ａを遊嵌することにより回転自在に支持されるものであり、図５に示すように、給湯通路５を通るお湯の圧力を受ける３枚の駆動羽根３１，３１，３１と、該駆動羽根３１，３１，３１の上方であって前記光センサー２８の発光素子２８ａから受光素子２８ｂへの光の照射を遮断する一対の遮光羽根３２，３２とを備えて構成されている。該遮光羽根３２，３２は、前記ボス２７ａの外周に対して直角に立設された四角羽根とされている。
【００３１】
前記光センサー２８は、前記ガラス管２６の外側であって前記回転体２７におけるボス２７ａを避けた位置において発光素子２８ａから受光素子２８ｂへ光が照射されるように構成されており、回転体２７における遮光羽根３２，３２により発光素子２８ａから受光素子２８ｂへの光の照射が遮断される回数を測定することにより回転体２７の回転数が測定できるようになっている。前記発光素子２８ａおよび受光素子２８ｂは、前記ガラス管２６の外周に取り付けられ、着脱自在なセンサーカバー３４により閉蓋された箱状のセンサーホルダ３３内に保持されている。なお、本実施の形態においては、回転体２７における遮光羽根３２，３２は、光センサー２８における発光素子２８ａと受光素子２８ｂとの間に常時位置せしめられることとなっている。
【００３２】
図１において、符号３５は後述する各種スイッチ類を備えた操作パネル部、３６はスイッチ基板、３７は前記電動ポンプ６を駆動させる駆動電源回路を備えた電源基板である。
【００３３】
前記操作パネル部３５には、図２に示すように、給湯スイッチ３８、ロック解除スイッチ３９、沸騰／カルキ抜き／おやすみタイマースイッチ４０、保温選択スイッチ４１、定量給湯／キッチンタイマースイッチ４２、設定量変更スイッチ４３，４４、給湯表示灯４５、沸騰表示灯４６、保温表示灯４７、給湯量表示等を行う表示部として作用する液晶表示装置４８が設けられている。
【００３４】
前記設定量変更スイッチ４３，４４は、時刻合わせ時の時刻設定変更際に操作されるとともに、電動ポンプ６による給湯量を所定量に設定する定量給湯設定手段として作用するものであり、設定給湯量の設定変更を行う際にも操作される。
【００３５】
通常給湯時および定量給湯時には、上記各種スイッチ類および各種表示灯は、以下のように操作され且つ表示される。
【００３６】
（１）  通常給湯
ロック解除スイッチ３９を押すと、給湯表示灯４５が点灯し、給湯スイッチ３８を押すと、通常の電動給湯が可能となるようになっている。
【００３７】
（２）  定量給湯
定量給湯／キッチンタイマースイッチ４２を１回押すと、設定量変更スイッチ４３，４４が光り、該設定量変更スイッチ４３，４４で給湯量が設定されると、ロック解除スイッチ３９が光り、該ロック解除スイッチ３９を押すと、給湯スイッチ３８が光り、給湯スイッチ３８を押すと、液晶表示部４７における時刻／数量表示部４７ａに表示されている定量給湯量表示が給湯とともに自動的に減算され、０ｍｌになると、給湯が自動停止される。この間、給湯スイッチ３９は押し続けられる。このようにすると、定量給湯時におけるスイッチ操作が、定量給湯／キッチンタイマースイッチ４２→設定量変更スイッチ４３，４４→ロック解除スイッチ３９→給湯スイッチ３８の順でナビゲートされた一方向となり、操作ミスを減少させることができる。
【００３８】
図６は、本実施の形態にかかる電気貯湯容器における制御系の構成を示すブロック図であり、マイクロコンピュータユニット（以下、マイコンという）４９には、前記各種スイッチ類３８〜４４、温度センサー１２および流量センサー２５からの信号が入力され、各種演算処理を行い、その結果が制御信号として電気ヒータ４、電動ポンプ６、液晶表示装置４８およびブザー５０に出力されることとなっている。
【００３９】
前記マイコン４９は、前述した各種制御機能に加えて、電動ポンプ６による給湯量を所定量に設定する定量給湯設定手段としての機能と、該定量給湯設定手段により設定された設定給湯量だけ給湯を行うように前記電動ポンプ６の駆動制御を行う定量給湯制御手段としての機能と、前記電動ポンプ６の駆動開始時から流量センサー２５からの最初の信号出力があった後であって、該最初の信号出力があった時点から予め設定された第１の設定時間ｔｓ1（例えば、０．７５秒）が経過するまでの間には、液晶表示装置４８における給湯量表示を「給湯量なし」を表す表示（例えば、「０」表示）とする機能と、前記第１の設定時間ｔｓ1（例えば、０．７５秒）の経過後であって、予め設定された第２の設定時間ｔｓ2（例えば、０．５秒）が経過するまでの間には、実際の給湯流量に関係なく予め設定された単位時間当たりの設定流量に基づいて算出された給湯量を前記液晶表示装置４８に表示する機能と、前記第２の設定時間ｔｓ2（例えば、０．５秒）の経過後においては、前記流量センサー２５により測定された流量に基づいて前記液晶表示装置４８に給湯量表示を行う機能とを有している。
【００４０】
ついで、図７に示すフローチャートを参照して、上記構成の電気貯湯容器における給湯開始時の制御について説明する。
【００４１】
ステップＳ１において給湯スイッチ３８がＯＮ操作されると、電動ポンプ６の駆動が開始されて給湯動作が開始されるが、既に説明したように、お湯の量によって流量センサー２５にお湯が到達して流量センサー２５から信号が出力するまでの時間に違いが生ずるところから、この違いを無効とするために、ステップＳ２において流量センサー２５からの信号初入力があったか否かの判定がなされる。ここで、肯定判定されるのを待って（換言すれば、信号初入力があるのを待って）ステップＳ３において流量センサー２５からの出力信号のカウントが開始される。なお、流量センサー２５からの信号入力があったとしても、外乱等の影響を考慮する必要があるところから、ステップＳ４において流量センサー２５からの信号が３個入力されたのを確認し、ステップＳ５において給湯初期における給湯量表示用としてマイコン４９に内蔵されている時限タイマーがスタートされる。
【００４２】
そして、ステップＳ６において第１の設定時間ｔｓ1（例えば、０．７５秒）が経過したか否かの判定がなされ、ここで肯定判定された場合には、ステップＳ７に進み、流量センサー２５からの出力信号のカウントが停止されるとともに、いままでカウントされた信号カウント数がリセットされる。つまり、電動ポンプ６の駆動開始から流量センサー２５からの信号が初入力されるまでの間および当該信号初入力から第１の設定時間ｔｓ1（例えば、０．７５秒）が経過するまでの間は液晶表示装置４８には「０」が表示されることとなっているのである。なお、第１の設定時間ｔｓ1は、流量センサー２５の下流側の通路の容量に相当するポンプ吐出量が得られる時間とされている。このようにすると、第１の設定時間ｔｓ1が経過した時点では流量センサー２５の下流側の通路にお湯が満ちて、給湯通路５を介してお湯の注出が開始されることとなり、実際の給湯開始時期を決定することができる。
【００４３】
ついで、ステップＳ８において１．００秒が経過したと判定されると、ステップＳ９において液晶表示装置４８に給湯量１０ｍｌが表示され、ステップＳ１０において１．２５秒が経過したと判定されると、ステップＳ１１において液晶表示装置４８に給湯量２０ｍｌが表示される。つまり、ステップＳ７において信号カウント数がリセットされてから第２の設定時間ｔｓ2（例えば、０．５秒）が経過するまでの間は、実際の給湯流量に関係なく予め設定された単位時間当たりの設定流量（例えば、１０ｍｌ／０．２５秒）に基づいて算出された給湯量（例えば、１０ｍｌおよび２０ｍｌ）が液晶表示装置４８に表示されることとなっているのである。このようにすると、第１の設定時間ｔｓ1が経過して実際に給湯が開始された後であっても、流量センサー２５からの出力信号が安定しない期間があるが、その期間においては、実際の給湯流量に関係なく予め設定された単位時間当たりの設定流量（例えば、１０ｍｌ／０．２５秒）に基づいて算出された給湯量が表示されることとなり、流量センサー２５からの出力信号が安定しないことに影響されない給湯量表示が行える。
【００４４】
次に、ステップＳ１２において流量センサー２５からの出力信号のカウントが開始され、ステップＳ１３において流量センサー２５からの出力信号数に応じた給湯量が液晶表示装置４８に表示される。
【００４５】
その後、ステップＳ１４において給湯スイッチ３８がＯＦＦ操作されたと判定されると、ステップＳ１５においてマイコン４９に内蔵されている２秒タイマがスタートされるとともに、液晶表示装置４８の給湯量表示が点滅される。
【００４６】
そして、ステップＳ１９において２秒が経過したと判定される前にステップＳ１７において給湯スイッチ３８がＯＮ操作されたと判定されると、ステップＳ１８において給湯量が継続表示され、その後ステップＳ１へリターンする。
【００４７】
一方、ステップＳ１７において給湯スイッチ３８がＯＮ操作されなかったと判定された状態でステップＳ１９において２秒が経過したと判定された場合には、ステップＳ２０に進み、ブザー５０により給湯終了報知がなされ、ステップＳ２１において給湯量が点灯表示される。
【００４８】
ついで、ステップＳ２２においてマイコン４９に内蔵されている２０秒タイマーがスタートされ、ステップＳ２５において２０秒が経過したと判定される前に、ステップＳ２３において給湯スイッチ３８がＯＮ操作されたと判定されると、ステップＳ２４において給湯量表示→０とされ、その後ステップＳ１へリターンする。
【００４９】
一方、ステップＳ２３で給湯スイッチ３８がＯＮ操作されなかったと判定されたまま、ステップＳ２５において２０秒が経過したと判定された場合には、ステップＳ２６において給湯ロック状態（即ち、給湯スイッチ３８をＯＮ操作しても電動ポンプ６が駆動されない状態）とされ、その後ステップＳ１へリターンする。
【００５０】
なお、上記実施の形態においては、電動ポンプ６の駆動開始時から流量センサー２５からの最初の信号出力があった後であって、該最初の信号出力があった時点から予め設定された第１の設定時間ｔｓ1（例えば、０．７５秒）が経過するまでの間には、液晶表示装置４８には「０」表示がなされるようになっているが、「０」表示に代えて「給湯量なし」を表す他の表示（例えば、絵表示等）とすることもできる。
【００５１】
ところで、上記各実施の形態においては、流量測定手段として、光センサー式の流量センサーを採用しているが、プロペラ式、電動ポンプ連動式、磁気センサー式等のものを採用することもできる。
【発明の効果】
【００５２】
請求項１の発明によれば、湯沸かし用の内容器と、該内容器を加熱する加熱手段と、前記内容器内の湯を給湯通路を介して給湯する電動ポンプと、給湯量を表示する表示部とを備え、前記給湯通路における直管部に、給湯流量を測定する流量測定手段を設けてなる電気貯湯容器において、前記電動ポンプの駆動開始時から前記流量測定手段からの最初の信号出力があった後であって、該最初の信号出力があった時点から前記流量測定手段の下流側の通路の容量に相当するポンプ吐出量が得られる時間が経過するまでの間には、前記表示部における給湯量表示を「給湯量なし」を表す表示とするように構成して、給湯初期においては（即ち、電動ポンプの駆動開始時には）流量測定手段からの最初の信号出力があるまでの時間にお湯の量によって生ずる差異を無効とするとともに、給湯通路を介して実際にお湯が注出されることのない間は給湯量表示が「給湯量なし」を表す表示とされるようにしたので、給湯初期における給湯量の誤差に影響されない給湯量表示が行えるという効果がある。しかも、流量測定手段の下流側の通路の容量に相当するポンプ吐出量が得られる時間が経過した時点では流量測定手段の下流側の通路にお湯が満ちて、給湯通路を介してお湯の注出が開始されることとなり、実際の給湯開始時期を決定することができるという効果もある。
【００５３】
請求項２の発明によれば、湯沸かし用の内容器と、該内容器を加熱する加熱手段と、前記内容器内の湯を給湯通路を介して給湯する電動ポンプと、給湯量を表示する表示部とを備え、前記給湯通路には、給湯流量を測定する流量測定手段を設けてなる電気貯湯容器において、前記電動ポンプの駆動開始時から前記流量測定手段からの最初の信号出力があった後であって、該最初の信号出力があった時点から予め設定された第１の設定時間が経過するまでの間には、前記表示部における給湯量表示を「給湯量なし」を表す表示とするように構成して、給湯初期においては（即ち、電動ポンプの駆動開始時には）流量測定手段からの最初の信号出力があるまでの時間にお湯の量によって生ずる差異を無効とするとともに、給湯通路を介して実際にお湯が注出されることのない間は給湯量表示が「給湯量なし」を表す表示とされるようにしたので、給湯初期における給湯量の誤差に影響されない給湯量表示が行えるという効果がある。また、前記第１の設定時間の経過後であって、予め設定された第２の設定時間が経過するまでの間には、実際の給湯流量に関係なく予め設定された単位時間当たりの設定流量に基づいて算出された給湯量を前記表示部に表示するように構成して、第１の設定時間が経過して実際に給湯が開始された後であっても、流量測定手段からの出力信号が安定しない期間があるが、その期間においては、実際の給湯流量に関係なく予め設定された単位時間当たりの設定流量に基づいて算出された給湯量が表示されるようにしたので、流量測定手段からの出力信号が安定しないことに影響されない給湯量表示が行えるという効果がある。
【００５４】
請求項３の発明におけるように、請求項２記載の電気貯湯容器において、前記第１の設定時間を、前記流量測定手段の下流側の通路の容量に相当するポンプ吐出量が得られる時間とした場合、第１の設定時間が経過した時点では流量測定手段の下流側の通路にお湯が満ちて、給湯通路を介してお湯の注出が開始されることとなり、実際の給湯開始時期を決定することができる。
【００５５】
請求項４の発明におけるように、請求項２および３のいずれか一項記載の電気貯湯容器において、前記第２の設定時間の経過後においては、前記流量測定手段により測定された流量に基づいて前記表示部に給湯量表示を行うように構成した場合、流量測定手段の出力信号が安定する第２の設定時間の経過後においては流量測定手段により測定された流量に基づいて給湯量表示が行われることとなり、正確な給湯量表示が得られる。
【００５６】
請求項５の発明によれば、湯沸かし用の内容器と、該内容器を加熱する加熱手段と、前記内容器内の湯を給湯通路を介して給湯する電動ポンプと、給湯量を表示する表示部とを備え、前記給湯通路には、給湯流量を測定する流量測定手段を設けてなる電気貯湯容器において、前記電動ポンプの駆動開始時から前記流量測定手段からの最初の信号出力があった後であって、該最初の信号出力があった時点から予め設定された第１の設定時間が経過するまでの間には、前記表示部における給湯量表示を「給湯量なし」を表す表示とするように構成して、給湯初期においては（即ち、電動ポンプの駆動開始時には）流量測定手段からの最初の信号出力があるまでの時間にお湯の量によって生ずる差異を無効とするとともに、給湯通路を介して実際にお湯が注出されることのない間は給湯量表示が「給湯量なし」を表す表示とされるようにしたので、給湯初期における給湯量の誤差に影響されない給湯量表示が行えるという効果がある。また、前記電動ポンプによる給湯量を所定量に設定する定量給湯設定手段と、該定量給湯設定手段により設定された設定給湯量だけ給湯を行うように前記電動ポンプの駆動制御を行う定量給湯制御手段とを付設するとともに、該定量給湯設定手段による設定給湯量の下限値を設けるように構成して、定量給湯を行う際における設定給湯量に下限値を設けるようにしたので、定量給湯を安定した給湯量が得られる領域で行うことができるという効果もある。さらに、設定給湯量の下限値を、前記流量測定手段からの信号出力とは関係なく決められた値以上とするように構成して、誤差の大きい給湯量である流量測定手段からの信号出力とは関係なく決められた値より大きい値を、設定給湯量の下限値とすることができるようにしたので、誤差に影響されない定量給湯が得られるという効果もある。
【００５７】
請求項６の発明におけるように、請求項５記載の電気貯湯容器において、前記第１の設定時間を、前記流量測定手段の下流側の通路の容量に相当するポンプ吐出量が得られる時間とした場合、第１の設定時間が経過した時点では流量測定手段の下流側の通路にお湯が満ちて、給湯通路を介してお湯の注出が開始されることとなり、実際の給湯開始時期を決定することができる。
【図面の簡単な説明】
【００５８】
【図１】本願発明の実施の形態にかかる電気貯湯容器の縦断面図である。
【図２】本願発明の実施の形態にかかる電気貯湯容器における操作パネル部の平面図である。
【図３】本願発明の実施の形態にかかる電気貯湯容器における流量センサーの拡大縦断側面図である。
【図４】本願発明の実施の形態にかかる電気貯湯容器における流量センサーの拡大横断平面図である。
【図５】本願発明の実施の形態にかかる電気貯湯容器における流量センサーの構成部品である回転体を示し、（イ）は側面図、（ロ）は平面図である。
【図６】本願発明の実施の形態にかかる電気貯湯容器における制御系のブロック図である。
【図７】本願発明の実施の形態にかかる電気貯湯容器における給湯初期の制御の内容を示すフローチャートである。
【図８】給湯通路における流量センサーと水位との関係を説明するための説明図である。
【符号の説明】
【００５９】
１は容器本体、２は蓋体、３は内容器、４は加熱手段（電気ヒータ）、５は給湯通路、６は電動ポンプ、２５は流量測定手段（流量センサー）、３８は給湯スイッチ、４８は液晶表示装置、４９はマイコン。
【図１】
0003543782.tif 000002
【図２】
0003543782.tif 000003
【図３】
0003543782.tif 000004
【図４】
0003543782.tif 000005
【図５】
0003543782.tif 000006
【図６】
0003543782.tif 000007
【図７】
0003543782.tif 000008
【図８】
0003543782.tif 000009